(57)【要約】      （修正有）【課題】化粧品販売コーナーなどで美容施術者が顧客に対して、又は、一般消費者が、この眉描き補助具を用いて、一人一人の顔にあった理想的な眉を簡単に描ける眉描き補助具を提供することを目的とする。【解決手段】平板表面に、眉の眉頭と眉尻を結ぶ眉基線１５と合わせる水平基準線５を形成し、該水平基準線に対して８°から１５°の範囲の角度に形成された平板の縁辺６ａ、６ｂ、６ｃを少なくとも２つ以上有していることを特徴とする眉描き補助具である。また、平板表面の水平基準線に対して、８°の角度からなる縁辺と１０°の角度からなる縁辺とで先端部２を形成し、前記水平基準線に対して１５°の角度からなる縁辺で後端部３を形成したことを特徴とする。【選択図】図１
0003119514.tif 000002
【実用新案登録請求の範囲】
【請求項１】
平板表面に、眉の眉頭と眉尻を結ぶ眉基線と合わせる水平基準線を形成し、該水平基準線に対して８°から１５°の範囲の角度に形成された平板の縁辺を少なくとも２つ以上有していることを特徴とする眉描き補助具。
【請求項２】
平板表面の水平基準線の一端から８°の角度からなる縁辺と１０°の角度からなる縁辺を形成し、前記水平基準線の他端から１５°の角度からなる縁辺を形成したことを特徴とする請求項１に記載の眉描き補助具。
【請求項３】
平板表面の水平基準線に対して作られるそれぞれの縁辺の角度表示が、それぞれの縁辺と水平基準線との間に設けられていることを特徴とする請求項１又は２に記載の眉描き補助具。
【請求項４】
平板に、平板を保持するための把持部が形成されていることを特徴とする請求項１乃至３のいずれかに記載の眉描き補助具。
【請求項５】
平板が透明な材質で形成されていることを特徴とする請求項１乃至４のいずれかに記載の眉描き補助具。
【考案の詳細な説明】
【技術分野】
【０００１】
この考案は、化粧品販売コーナーなどで美容施術者が顧客に対して、眉描きを行う時に使用される眉描き補助具に関する。また、一般消費者が、この眉描き補助具を用いて、自己の顔立ちにあった、美しい眉を描くことができる眉描き補助具を提供するものである。
【背景技術】
【０００２】
従来から、美容施術の過程に於いて、美しい眉を書いて、自然な仕上がりに見せることが難しいとされていた。そのような課題から、眉の形をしたシールを作りそれを眉に貼り付けたり、平板に眉の形をくりぬいた眉スケールを作り、くりぬいた眉の形に沿って眉を描いていくスケールなどが開発され、下記特許文献等にその内容が開示されている。
【特許文献１】特開２００３−０６１７４５号公報
【特許文献２】特開２００２−２９１５３０号公報
【特許文献３】特開２００２−１１２８３３号公報
【特許文献４】登録実用新案第３１０３６５９号公報
【０００３】
しかしながら、眉シールや眉スケールにおいては、眉が一定の形で用意されていて、眉スケールではスケールの縁に沿って、眉の輪郭を描き、その輪郭内をアイブローで塗っていくので、簡便に、自分で眉を描けるというメリットはあるが、一人一人の顔に合ったバランスがとれた美しい眉になっているものではなかった。
【考案の開示】
【考案が解決しようとする課題】
【０００４】
顔とのバランスがとれた美しい眉を描くことは、美容業界の大きなテーマであり、従来から、いろいろな人にバランスがとれた美しい眉を簡単に描ける方法が望まれていた。特に、店頭において、顧客をカウンセリングしながら、美容施術者が顧客の顔を確認して、簡便に眉を描ける補助具が必要とされていた。本考案は、そのような問題点に鑑み、美容施術者の技術程度にかかわらず、あらゆる顧客の顔にマッチした美しい眉を、簡単に描ける補助具を提供することを目的とする。
【課題を解決するための手段】
【０００５】
上記課題を解決するためにこの考案が採った手段は、平板表面に、眉の眉頭と眉尻を結ぶ眉基線と合わせる水平基準線を形成し、該水平基準線に対して８°から１５°の範囲の角度に形成された平板の縁辺を少なくとも２つ以上有していることを特徴とする。
【０００６】
また、平板表面の水平基準線の一端から８°の角度からなる縁辺と１０°の角度からなる縁辺を形成し、前記水平基準線の他端から１５°の角度からなる縁辺を形成したことを特徴とする。
【０００７】
また、平板表面の水平基準線に対して作られるそれぞれの縁辺の角度表示が、それぞれの縁辺と水平基準線との間に設けられていることを特徴とする。
【０００８】
また、平板に、平板を保持するための把持部を形成していることと平板が透明な材質で形成されていることを特徴とする。
【考案の効果】
【０００９】
この考案の眉描き補助具によれば、美容施術者の技術程度にかかわらず、あらゆる顧客の顔にあった美しい眉を、簡単に描けるという効果がある。また、一般消費者が、自己の顔立ちにあった美しい眉を簡便に作れるという効果を有する。
【考案を実施するための最良の形態】
【００１０】
以下、本考案の眉描き補助具の構成と使い方及びその基礎となる美容理論について、詳細に説明する。
【００１１】
本考案の眉描き補助具１は、平板のプラスチック板からなり、好ましくは透明性の良い
エチレンメチルメタクリエート(ＥＭＭＡ)、エチレンビニルアセテート(ＥＶＡ)、ポリエチレン(ＰＥ)、ポリプロピレン(ＰＰ)、ポリエチレンテレフタレート(ＰＥＴ)などのプラスチック板から作られる。
【００１２】
平板のプラスチック板の表面には、眉の眉頭と眉尻を結ぶ眉基線と合わせる水平基準線５が印刷されている。この水平基準線５は、直線の他、波線、２点の目印点などから形成される。また、水平基準線５は、印刷、切り込み、刻印、平板内への線の埋没などによって形成することができる。
【００１３】
平板の縁辺6a、6b、6cは、平板の輪郭の一部を形作り、眉を描く際の目安の角度を示す辺となる。
【００１４】
平板の水平基準線５に対して８°から１５°の範囲の角度に形成された平板の縁辺6a、6b、6cは、きれいな眉を描くための角度であり、眉の先端である眉頭と眉の頂点である眉山を結んだ線が１０°の角度のときが、一番に美しいとされている。８°や１５°の角度の縁辺6b、6cは、後述するように顧客の顔の長さ、顔全体のイメージなどによって、選択して使用される。
【００１５】
更に、図１に基づき詳細に説明する。本考案の眉描き補助具１は、一枚のプラスチック板からなり、全体形状として指さし形状になっている。そして、先端部２、後端部３、把持部４を有し、先端部２と後端部３間は、一本の水平な水平基準線５が印刷されている。そして、先端部２から後端側に向かう水平基準線５に対して一定の角度で直線状の縁辺6aが形成され、後端部３からは先端部２に向かって水平基準線５に対して一定の角度で斜め上方に直線状の縁辺6cが形成され、それぞれの縁辺6a、6cが交差する点で頂部７を形成している。また、先端部２から後端側に向かって水平基準線５に対して一定の角度で斜め下方に直線状の縁辺6cを有している。
【００１６】
この眉描き補助具１では、縁辺6aが水平基準線５に対して１０°の角度をなすようし、また、縁辺6bが水平基準線５に対して８°の角度になるようにして、先端部２を形成している。更に、後端部からは、縁辺6cが水平基準線５に対して１５°の角度になるように縁辺を作り、縁辺の後端部側は膨出して把持部４が作られいる。ここで、便宜上、先端部、後端部の表現を用いて端部を説明しているが、眉描き補助具１を左右反転させたり、裏表反転して用いれば先端部と後端部は入れ替わるので、必ず眉描き補助具１の先端部、後端部になることを意味するものではない。
【００１７】
この眉描き補助具を使って、美容施術者が顧客にバランスの良い眉を描くが、それに先立ち、どのような眉がバランスの良い、美しい眉であるかについて説明を行う。
【００１８】
一般的に、形の良い眉というのは、次の要素からなることが知られている。１．眉頭は目頭の真上にある。２．眉尻は小鼻と目尻を結んだ延長線上にある。３．眉山は眉頭から２／３の位置にある。このような眉がバランスのよい美しい眉である。更に、詳細に図２に基づいてこれらの要素を説明する。図２は、バランスが良いとされている眉の形を示す図で、ここで目頭８から垂直に立ち上がる目頭線９上に眉頭10があり、小鼻11から目尻12に向かって傾斜する小鼻眉尻線13上に眉尻14があり、眉頭10と眉尻14を結ぶ眉基線15の眉頭10から眉尻14に向かって約２／３の位置の眉山線17上には、眉山16が存在している。
【００１９】
上述したような眉がバランスが良い美しい眉であるが、最近の研究により、眉の形だけでなく、眉が顔全体のどこに位置しているかと眉頭10から眉山16を形成する角度が、眉を美しく見せる大切なポイントであることが判明した。従って、眉を顔全体のどこに位置させどのような角度の眉を描くかが重要になり、そのために本考案の眉描き補助具が開発された。
【００２０】
美しく見える眉の位置に関して、図３に基づき、更に詳細に説明する。図３のＡ、Ｂ、Ｃは、顔全体に対する眉の位置を表している。Ａ、Ｂ、Ｃに書かれているそれぞれの実線で示される仮想の横線イは、顔を正面から見た場合の顔の最大幅を示す線で、通常は下瞼に接する線になる。縦線ロは、横線イと同じ長さの線を顎の下部から垂直に立てた場合の仮想の線で、横線イと縦ロの線は顔のほぼ中央で直角に交差し十字状になる。これらの横線イと縦線ロの端を点線ａ、ｂ、ｃ、ｄからなる４つの辺で囲んで仮想の正方形にしてある。ここで、Ａの眉の位置を見ると、眉の眉山16が前述した点線の辺ａに接しており、顔全体で見ると美しい位置に眉があることが判る。また、Ｂでは、辺ａから眉の眉山16が下方に離れて存在していて、顔全体から見ると中心に目、鼻、眉が纏まってしい、顔全体のバランスがとれていないように見える。また、Ｃでは、辺ａから眉の眉山16が飛び出てしまい、顔全体から見ると眉から得られる印象が強すぎ、全体的なバランスが良くない。
【００２１】
一般的に、顔全体が丸い人は、Ｂのように点線の辺ａの下方に眉山16が集まりやすく、顔全体が長い人はＣのように辺ａの上方に眉山16が飛び出てしまう傾向にある。
【００２２】
このような美容理論を基に、図３のＡのような状態に眉山16が近づくようにしながら、眉を描くのに必要な補助具が本考案の補助具で、更に、補助具の使い方について図４を基づき詳述する。まず、顔の正面から下瞼と接する水平な横線イを測定して、その横線イを顔の最大幅とする。続いて、顔の幅と同じ長さの線を顎の下部から垂直に立て、垂直な縦線ロとし、この横線イと縦線ロの端部を囲む、ａ、ｂ、ｃ、ｄの辺からなる仮想の正方形を形成する。以上の操作は、スケールなどを利用して測定することができるが、店頭などにおいて顧客の顔を直接測定することが難しい場合は、美容施術経験を積むことにより、顧客の顔を見ながらイメージで仮想の線と辺と正方形を作ることができる。
【００２３】
この辺ａ、ｂ、ｃ、ｄからなる正方形をもとに、本考案の眉描き補助具１を使って眉を描いていく。まず、補助具１の把持部４を指で持ち、眉頭線15に眉描き補助具１の先端部２を合わせながら、眉頭10と眉尻14を結ぶ眉基線15に眉描き補助具１の水平基準線５を一致させる。このときの眉描き補助具１の辺6aが眉頭10から眉山16までアイブローで眉を描いていく線になる。この眉を描いていく線は、線で描いても点で目印を付けても良い。図４においては、眉頭の下縁に眉頭線15を設定し、これに水平基準線５を合わせているが、眉は一定の幅を持つものであるから、眉頭の中央又は上縁に眉頭線15を作り、これに基づき眉を描いていっても良い。
【００２４】
ここで、眉描き補助具１の縁辺6aの水平基準線５に対する角度が重要であるが、この角度は次のように選定される。図３のＡに示されるように、眉の眉山16が仮想の正方形の辺ａに接するような人は、眉頭10から眉山16までの角度が１０度近辺の人が多いので、眉描き補助具１の水平基準線５に対して１０度の角度を有する縁辺6aを使って、眉を描いていく。また、図３のＢのように、眉山16の位置が仮想の正方形の辺ａより下方に離れて存在しているような人は、眉山16の位置を上げて縁辺6aに近づくように眉を描くと、顔とのバランスがとれた美しい眉になるので、眉描き補助具１の水平基準線５に対して１５度の角度を有する縁辺6ｃを使って、眉を描いていく。このときは、眉描き補助具１を左右に反転させながら眉描き補助具１の後端部３を眉頭線９に合わせて、眉を描くことができる。また、図３のＢのように、眉山16の位置が仮想の正方形の辺ａより上方に飛び出してるような人には、眉山16の位置を下げて縁辺6aに近づくように眉を描くと、顔とのバランスがとれた美しい眉になるので、眉描き補助具１の水平基準線５に対して８度の角度を有する縁辺6ｃを使って、眉を描いていく。
【００２５】
このように眉山16の位置が、仮想の正方形の辺ａに近づけるようにして眉を描いていくことで顔とのバランスがとれた美しい眉を作れるが、大きく眉山16の位置を変更して眉を描いてしまうと、以前からの自分の眉と大きく変わってしまい違和感があるという場合は、元の眉山16の位置から１〜２ｍｍの範囲で眉山16の位置を変更して眉を描くこともできる。
【００２６】
眉描き補助具１は、眉を剃った状態から描くことができるが、眉がある状態でも所望の角度で眉を描き、できあがった理想の眉からはみ出た部分をカットすることで修正することもできる。
【００２７】
また、美容施術者は、顧客の眉頭10と眉尻14を結ぶ眉基線15をイメージしながら、その上に眉描き補助具１をあてがって、眉を描いていくこともできるが、眉描き補助具１が透明な材質で作られている場合には、顔から数ｃｍ離れた位置に眉描き補助具１をかざし、透視しながら眉をイメージしていくことができる。
【００２８】
以下に、本考案の眉描き補助具の他の実施例について、図５を参照しながら説明する。本実施例の眉描き補助具１は、基本的に上述してきた補助具と同じ構成をなしているが、把持部２を小さくして、よりコンパクトな構造にしてある。また、水平基準線５は点線になっている。更に、先端部２は、水平基準線５に対して斜め上方に８°の角度を有する縁辺6aと、水平基準線５に対して斜め下方に９°の角度を有する縁辺6bから先端部２が形成され、水平基準線５に対して斜め上方に１３°の角度を有する縁辺6cと把持部２から後端部が形成されている。この眉描き補助具１も既に説明した通りの使用法に従って使用することができる。
【図面の簡単な説明】
【００２９】
【図１】本考案に係る眉描き補助具
【図２】美しい眉の形を示す説明図
【図３】美しい眉の位置を説明する説明図
【図４】本考案の眉描き補助具の使い方を示す図
【図５】他の実施例に係る眉描き補助具の図
【符号の説明】
【００３０】
１  本考案の眉描き補助具
２  先端部
３  後端部
４  把持部
５  水平基準線
6a，6b，6c  縁辺
７  頂部
８  目頭
９  目頭線
10  眉頭
11  小鼻
12  目尻
13  小鼻目尻線
14  眉尻
15  眉基線
16  眉山
17  眉山線
イ  横線
ロ  縦線
【図１】
0003119514.tif 000003
【図２】
0003119514.tif 000004
【図３】
0003119514.tif 000005
【図４】
0003119514.tif 000006
【図５】
0003119514.tif 000007